(57)【要約】      （修正有）【課題】遊技場に設置してある椅子に、宣伝、情報、またはデザインのための印刷物を、椅子本体の背もたれ部分取付けるための椅子カバーに関し、椅子本体の背もたれ部分の高さや大きさによって、印刷物の大きさが制約されず、その印刷物をスムーズに収納できる椅子カバーを提供する。【解決手段】椅子Ｓの背もたれ部ＬＳを挿入して保持するための保持部２０の背面に一体的に、保持部２０より広い面積の柔らかいカバー本体１０を形成する。この柔らかいカバー本体１０の内部周囲に弾性枠部材１１を配置することで、自立し、保持部２０に対して所定の位置を維持できる。このカバー本体１０の背面に表示部Ｅを設け宣伝情報デザイン印刷物を表示する。【選択図】図１
0003165746.tif 000002
【実用新案登録請求の範囲】
【請求項１】
遊技場に設置してある椅子に取付けられる椅子カバーであって、前記椅子の背もたれ部を挿入して保持するための保持部と、この保持部の背面に一体的に形成され前記保持部より広い面積の柔らかいカバー本体と、この柔らかいカバー本体の周囲に配置される弾性枠部材と、このカバー本体の背面に設けられて宣伝情報デザイン印刷物を表示するための表示部、を有することを特長とする宣伝情報デザイン椅子カバー。
【請求項２】
前記表示部は、前記カバー本体と同形で一体に設けられ、宣伝情報デザイン印刷物が収納される透明軟質ポケット部と、前記宣伝情報デザイン印刷物を挟んで前記透明軟質ポケット部へ挿入される透明硬質ホルダーと、を有することを特長とする請求項１に記載の宣伝情報デザイン椅子カバー。    
【請求項３】
前記表示部は、前記カバー本体に後付で装着され、背面に前記印刷がなされることで自体が前記宣伝情報デザイン印刷物となる生地カバーであることを特長とする請求項１に記載の宣伝情報デザイン椅子カバー。
【考案の詳細な説明】
【技術分野】
【０００１】
本考案は、遊技場におけるパチンコ台やゲームセンター遊技機の椅子などに取り付けられる椅子カバーに関し、特に、宣伝機能や情報提供機能などを備えた椅子カバーに関する。
【背景技術】
【０００２】
遊技場、例えばゲームセンターにおいては、椅子カバーが椅子の背もたれ部を覆う様に取り付けられる。この椅子カバーにおいては、遊技機種の宣伝、遊技場が企画したイベント情報などが、文字やイラストを用い、椅子カバーの表面生地に直接印刷されていることが多い。この印刷面は、椅子の通路側に臨む様にして、椅子カバーが用いられていた。
一方、この椅子カバーでは、遊技機の交換時や別のイベントを行った際、新規にデザインされた椅子カバーに交換する必要があるため、遊技機の交換後やイベント終了後は廃棄処分となり、資源の無駄となっている。
【０００３】
このような資源の無駄を省くため、従来の椅子カバーに関する提案が、下記特許文献１、２及び３に記載されている。これらの椅子カバーは、上部が開口された透明軟質ポケットを背面側に設け、遊技機に関する絵柄等のデザインや遊技場のイベント告知が印刷された印刷物を、この透明軟質ポケット内に上部から差し込む構造となっている。
【０００４】
これにより、遊技機に関する絵柄等のデザインや遊技場のイベント告知が印刷された印刷物が、遊技場の通路側から見える。そして、新規の遊技機やイベントに交換、変更する際には、遊技機に関する絵柄等のデザインや遊技場のイベント告知が印刷された古い印刷物を抜き取って、新規の遊技機やイベントに対応したデザインが印刷された印刷物を、あらたに透明軟質ポケットに差し込む。これにより、椅子カバーの全体を廃棄する必要がなくなるため、資源の無駄を省くことができる。
【先行技術文献】
【特許文献】
【０００５】
【特許文献１】実用新案登録第３１０４２２３号公報
【特許文献２】実用新案登録第３１０４２９０号公報
【特許文献３】実用新案登録第３１６１１８３号公報
【考案の概要】
【考案が解決しようとする課題】
【０００６】
しかしながら特許文献１、２及び３に記載されている従来の椅子カバーにおいては、
（１）椅子本体の背もたれ部分の上下左右の大きさによって、遊技機に関する絵柄等のデザインや遊技場のイベント告知が印刷された印刷物の大きさが、制限されていた。
（２）また、安価な紙に印刷した場合、椅子カバー上部に開口された透明軟質ポケットに、この印刷された印刷物を挿入する際、椅子カバーを形成している生地表面に、印刷物が当り、しわや折れ曲がりなども発生しやすくなっていた。
（３）また、背もたれ部分よりも広い面積の印刷物を表示する表示部を設けようとしても、表示部の強度を得るには、表示部を頑丈にしなければならず、柔らかく、人に接触しても安全にすることが難しかった。
このような問題は、全ての遊技場に設置してある椅子において、宣伝、情報、またはデザインのための印刷物を、椅子本体の背もたれ部分取付けるための椅子カバーに関し、共通して存在する。
【０００７】
本考案は、このような問題点を考慮してなされたものであり、（１）椅子本体の背もたれ部分の高さや大きさによって、宣伝、情報、またはデザインのための印刷物の大きさが制約されず、（２）その印刷物にしわや折れ曲がりが発生しにくく、（３）また、背もたれ部分よりも広い面積の印刷物を表示する表示部を設けても、柔らかく、人に接触しても安全にすることができる椅子カバーを提供することを目的とする。
【課題を解決するための手段】
【０００８】
以上の課題を解決するために、第一考案は、遊技場に設置してある椅子Ｓに取付けられる椅子カバー１００であって、前記椅子Ｓの背もたれ部ＬＳを挿入して保持するための保持部２０と、この保持部２０の背面に一体的に形成され前記保持部２０より広い面積の柔らかいカバー本体１０と、この柔らかいカバー本体１０の周囲に配置される弾性枠部材１１と、このカバー本体１０の背面に設けられて宣伝情報デザイン印刷物５０を表示するための表示部Ｅ、を有することを特長とする宣伝情報デザイン椅子カバー１００である。
第二考案は、前記表示部Ｅは、前記カバー本体１０と同形で一体に設けられ、宣伝情報デザイン印刷物５０が収納される透明軟質ポケット部３０と、前記宣伝情報デザイン印刷物５０を挟んで前記透明軟質ポケット部３０へ挿入される透明硬質ホルダー４０と、を有することを特長とする宣伝情報デザイン椅子カバー１００である。    
第三考案は、前記表示部Ｅは、前記カバー本体１０に後付で装着され、背面に前記印刷がなされることで自体が前記宣伝情報デザイン印刷物５０となる生地カバー６０であることを特長とする請求項１に記載の宣伝情報デザイン椅子カバー１００である。
【考案の効果】
【０００９】
第一、第二、又は第三考案によれば、椅子Ｓの背たれ部ＬＳを保持部２０に挿入して保持し、椅子カバー１００の取付を行なう。そして、背もたれ部ＬＳの高さや大きさに関係なく、カバー本体１０の背面の面積をより広い面積の表示部Ｅにできる。
また、柔らかいカバー本体１０の周囲に弾性枠部材１１を配置することで、カバー本体１０が柔らかく強度のないものであっても、弾性枠部材１１によって自立し、保持部２０に対して所定の位置を維持できる。よって、全体として、柔らかく、人に接触しても安全にすることができる。
【００１０】
第二考案によれば、さらに、宣伝情報デザイン印刷物５０は、透明硬質ホルダー４０に挟まれて、前記透明軟質ポケット部３０へ挿入され保持されるので、宣伝情報デザイン印刷物５０にしわや折れ曲がりが発生しにくい。
第三考案によれば、さらに、生地カバー６０の背面に印刷を行ない、自体が宣伝情報デザイン印刷物５０となった生地カバー６０を、カバー本体１０に後付で被せることで表示部Ｅとすることにより、印刷物を挿入するという動作が必要がなくなり、しわや折れ曲がりが発生しにくい。
【図面の簡単な説明】
【００１１】
【図１】本考案の一実施形態に係る椅子カバー１００を示し、（Ａ）は背面図、（Ｂ）は側面図、（Ｃ）は椅子カバー１００を取付ける椅子Ｓの側面図である。
【図２】図1全体の分解斜視図である。
【図３】図１（Ｂ）の縦断面図である。
【図４】図２中の透明硬質ホルダー４０の作用を示す正面図である。
【図５】図1の椅子カバー１００を遊技場の椅子Ｓに使用した様子を示す斜視図である。
【図６】本考案の他の実施形態に係る椅子カバーに後付で装着され、表示部Ｅを構成する生地カバーを示し、（Ａ）は背面図、（Ｂ）は側面図、（Ｃ）は正面図である。
【図７】（Ａ）（Ｂ）（Ｃ）は、図６の生地カバーを椅子カバー１００へ装着する手順を示す斜視図である。
【考案を実施するための形態】
【００１２】
以下、図１から図５において、本考案の一実施形態の椅子カバーを具体的に説明する。
【００１３】
［概略］
図５に示すように、この椅子カバー１００は、遊技場であるパチンコ店に設置してある椅子Ｓに取付けられて使用される。図１、図２に示すように、椅子Ｓの背もたれ部ＬＳに、椅子カバー１００を保持する。保持部２０は、背もたれ部ＬＳを上端から挿入するための下向きのポケット状をなす。この保持部２０の背面に一体的に、記保持部２０より広い面積のカバー本体１０が形成される。このカバー本体１０の背面には透明軟質ポケット部３０が設けられる。
【００１４】
透明軟質ポケット部３０は、カバー本体１０と背面が同形で、透明軟質シートからなり、カバー本体１０の背面に縫合され一体的に設けられて、宣伝情報デザイン印刷物５０が収納される（図５参照）。透明軟質ポケット部３０の上部には、開口部３０Ａが設けられ、ここから宣伝情報デザイン印刷物５０が収納される。この収納は、宣伝情報デザイン印刷物５０が、一度、透明硬質ホルダー４０に挟まれて、開口部３０Ａから挿入されて行なわれる（図２，図４）。
【００１５】
カバー本体１０は、布製である。その周囲に配置されるワイヤー製の弾性枠部材１１によって、強度骨格を形成する。さらに、透明硬質ホルダー４０の強度によって、強度骨格は補強される。
このようにして、保持部２０に対する位置と形状が維持される。すなわち、カバー本体１０を、椅子Ｓの背もたれ部ＬＳよりも上方向や床方向に広げた状態で形成し、よって、宣伝情報デザイン印刷物５０を本来の椅子本体の背もたれ部ＬＳより広げることができる。つまり、図１などにおいて、上方向には上部伸張部Ｌの分、床方向には下部伸張部Ｍの分、背面の面積を広げた状態で形成する。
【００１６】
弾性枠部材１１には、ピアノ線などに代表される許容応力があり細く硬質な材質が使用される。
収納された宣伝情報デザイン印刷物５０は、遊技場であるパチンコ店で、遊技台Ｐであるパチンコ台とは椅子Ｓをはさんで反対側の通路側に臨むことになり、宣伝機能や情報機能、さらには椅子Ｓのデザイン機能を果たす。
【００１７】
［製造方法など］
本考案の椅子カバー１００製造方法について説明する。
まず、図３に示すように、表面カバー生地材１２と裏面カバー生地材１３を下部が開口した袋状態に縫合する。そして、弾性部材１４と弾性枠部材１１を、この縫合をしていない下部から挿入し、その後に下部を縫合することでカバー本体１０を成型する。
【００１８】
次に、裏面保持部生地材２２と表面保持部生地材２３で、弾性部材２４を包み込むようにし、これらの生地材２２，２３の外周を縫合して、保持部２０を成型する。そして、先ほど成型したカバー本体１０の裏面カバー生地材１３と、この保持部２０とを任意の位置で縫合する。さらに、表面カバー生地材１２に透明軟質シートを縫合し透明軟質ポケット部３０を形成する。
【００１９】
この椅子カバー１００のカバー本体１０外周には図１〜３にあるように弾性枠部材１１が封入されており、カバー本体１０の形状を安定状態に設けている。この弾性枠部材１１はピアノ線に代表される硬質でありながら復元力のある材料であるため、カバー本体１０の一部形状を丸型など任意の形状に製作しても形状崩れが起こりにくい。この弾性枠部材１１を外周部に設けた事により、カバー生地材や弾性部材１４の重量を保持出来るため、カバー本体１０の表面積、主に上部伸長部Ｌや下部伸長部Ｍ（図１）の拡張が可能となり、椅子Ｓの背もたれ表面積以上の宣伝情報デザイン印刷物５０を制作でき、よって宣伝情報デザイン印刷物５０による情報量を増やすことが出来る。
【００２０】
椅子カバー１００を形成しているカバー本体１０及び保持部２０で使用されている生地材は、レザー、布、ポリエステル、シルク等が使用でき、さらに他に、汗を放出する科学繊維などが使用でき、さまざまな用途によって生地材を変更できる。
保持部２０に封入されている弾性部材には、スポンジなど適度なクッション性を持たせると遊技者の疲労軽減に役立つ。また、他の材質としてウレタンや半固体ゲル、水溶性ジェルなど遊技者の背部に密着する物に変更しても良い。
【００２１】
カバー本体１０の表面カバー生地材１２に縫合されている透明軟質ポケット部３０の材質は、光を透過し得る程度に透明な物であれば良く、半透明に着色してあっても良い。また、材質としてはポリエチレン、ポリプロピレン、ポリ酸化ビニールなどの汎用の合成樹脂製シートが好ましい。
透明軟質ポケット部３０に挿入して使用する透明硬質ホルダー４０の材質は、光を透過し得る程度に透明な物であれば良く、半透明に着色してあっても良い。材質としてはポリプロピレンが主に用いられるが、アクリル、塩化ビニール、ポリカーボネートなど汎用の合成樹脂製材が好ましい。
【００２２】
「実施形態の効果」
以上の実施形態によれば、以下の作用効果を得る。
（１）椅子Ｓの背もたれ部ＬＳの高さや大きさに関係なく、カバー本体１０の背面の面積をより広い面積にできる。そして、このカバー本体１０と背面が同形の透明軟質ポケット部３０へ宣伝情報デザイン印刷物５０を収納することで、宣伝、情報、またはデザインのための宣伝情報デザイン印刷物５０の大きさが制約されない。
【００２３】
（２）また、布製で柔らかいカバー本体１０の周囲に弾性枠部材１１を配置することで、弾性枠部材１１を外枠とするので、カバー本体１０が柔らかく強度のないものであっても、弾性枠部材１１によって自立できる。また、保持部２０に対して所定の位置を維持できる。
すなわち、柔らかいカバー本体１０の袋状の周囲に、閉じたループ状の弾性枠部材１１を配置することにより、柔らかいカバー本体１０はループ状に外側に押し広げられ、広げられた形状が維持される。同時に、カバー本体１０の柔らかい下部は、ループ状の弾性枠部材１１の下部を支える。下部を支えられたループ状の弾性枠部材１１は、その上下位置が定まる。よって、自立でき、保持部２０に対して所定の位置を維持できる。
（３）上記（２）のように、カバー本体１０は布製で、外枠は弾性枠部材１１なので、全体として、柔らかく、人に接触しても安全にすることができる。
（４）また、宣伝情報デザイン印刷物５０は、透明硬質ホルダー４０に挟まれて、前記透明軟質ポケット部３０へ挿入され保持されるので、宣伝情報デザイン印刷物５０の収納をスムーズに行える。また、透明硬質ホルダー４０に挟まれることで、宣伝情報デザイン印刷物５０にしわや折れ曲がりが発生しにくい。
（５）また、透明軟質ポケット部３０は、上部に開口部３０Ａを有することで、宣伝情報デザイン印刷物５０の収納が容易である。  
（６）さらに、椅子カバー１００は布製の袋状で、この袋の内部周囲に弾性枠部材１１を封入して、外枠として形成し、ある程度の重量負荷がかかった場合でも形状保持が出来うる構造になっている。
【００２４】
（７）本来低かった椅子本体の背もたれ部分ＬＳへ本考案品を取付けることにより、任意の高さに変更できるため、椅子本体の交換に伴う費用の削減ができる。
（８）上部が開口部となる透明軟質ポケット部３０と同形状の透明硬質ホルダー４０が付随しているため、従業員の操作により宣伝情報デザイン印刷物５０を入れ替える事により、しわや折れ曲がりによる宣伝情報デザイン印刷物５０や旧デザインの椅子カバー本体の廃棄による資源の無駄を省く事が出来る。
【００２５】
「他の実施形態」
以上の実施形態では、弾性枠部材は、ピアノ線に代表される金属製の他に、樹脂製品や木材製品など硬質でありながら復元力がある素材であるなら、用途によって変更しても良い。また、復元力が必要でない場合はプラスチックなどの硬質な板材を外形に切り出し封入してもよい。
以上の実施形態では、カバー本体１０は、表面カバー生地材１２と裏面カバー生地材１３を袋状態に縫合した中に、弾性枠部材１１を挿入して成型するものであったが、必ずしも袋状にする必要はなく、他の実施形態では、柔らかいカバー本体１０の周囲に、閉じたループ状の弾性枠部材１１を配置し、カバー本体１０の周囲を折り曲げてこの弾性枠部材１１を覆い筒状の縫い付部を設けて、成型するものであってもよい。
【００２６】
以上の実施形態では、表示部Ｅは、カバー本体１０の背面に縫合されることで一体的に設けられる透明軟質ポケット部３０であったが、他の実施形態では、後付で設けられるものでもよい。例えば図６，７に示すように、カバー本体１０に後付で装着され、背面に印刷がなされることで自体が前記宣伝情報デザイン印刷物５０となる生地カバー６０であってもよい。この生地カバー６０は、別体に用意され、カバー本体１０の背面に装着される。
【００２７】
すなわち、生地カバー６０は、布製で、印刷が行なわれる背面となる印刷面６０Ａと、カバー本体１０の側に位置する表面生地６１と、を有する。表面生地６１には、カバー本体１０へ装着するために弾性枠部材上部保持部６２と、弾性枠部材下部保持部６３が形成される。弾性枠部材上部保持部６２は下向きのポケット状をなし、弾性枠部材下部保持部６３は上向きのポケット状をなし、カバー本体１０周囲の弾性枠部材１１の位置に、上下から被せられることで、装着が行なわれる。
印刷面６０Ａにプリント印刷を施したり、他の生地を模様状に縫製したりすれば、カバー本体１０のカバー生地が破損した場合でも椅子カバー１００を買い換える必要が無く、無駄な経費を削減出来る。また、印刷物を挿入するという動作が必要がなくなり、しわや折れ曲がりが発生しにくい。
また、以上の実施形態では、柔らかいカバー本体１０は布製としたが、他の実施形態では、他の柔らかい素材、例えばビニール製とすることも可能である。
【００２８】
なお、上記実施形態例は例示に過ぎず、本考案の主旨を逸脱しない限り様々な構成が提案され得る。
【符号の説明】
【００２９】
（１００）・・・・椅子カバー
（１０）・・・・カバー本体
（１１）・・・・弾性枠部材
（１２）・・・・表面カバー生地材
（１３）・・・・裏面カバー生地材
（１４）・・・・弾性部材
（２０）・・・・保持部
（２２）・・・・裏面保持部生地材
（２３）・・・・表面保持部生地材
（２４）・・・・弾性部材
（２０Ａ）・・・・背もたれ挿入部
（３０）・・・・透明軟質ポケット部
（３０Ａ）・・・・開口部
（４０）・・・・透明硬質ホルダー
（４１）・・・・透明硬質ホルダー裏面
（４２）・・・・透明硬質ホルダー表面
（５０）・・・・宣伝情報デザイン印刷物
（６０）・・・・生地カバー
（６１）・・・・表面生地
（６２）・・・・弾性枠部材上部保持部
（６３）・・・・弾性枠部材下部保持部
（Ｅ）・・・・  表示部
（Ｐ）・・・・遊戯台
（Ｓ）・・・・椅子
（ＬＳ）・・・・背もたれ部
（Ｌ）・・・・上部伸長部
（Ｔ）・・・・背もたれ収容部
（Ｍ）・・・・下部伸長部
【図１】
0003165746.tif 000003
【図２】
0003165746.tif 000004
【図３】
0003165746.tif 000005
【図４】
0003165746.tif 000006
【図５】
0003165746.tif 000007
【図６】
0003165746.tif 000008
【図７】
0003165746.tif 000009